(57)【要約】【課題】速やかに点火でき、しかも効果的なスパークを発しつつ、スパークの火粉による火傷を負うおそれのない安全性及び演出効果の優れたスパークローソクを提供する。【解決手段】ローソク本体より突出した、ワックスが被覆された燃焼芯を有するスパークローソクであって、該突出した燃焼芯が、先端点火部とその下方に１００〜２５０メッシュの鉄粉を０．０２〜０．０８ｇ／１０ｍｍ保持させた鉄粉付着部と非鉄粉付着部で構成されたことを特徴とするスパークローソクである。【選択図】図１
0003168081.tif 000002
【実用新案登録請求の範囲】
【請求項１】
ローソク本体より突出した、ワックスが被覆された燃焼芯を有するスパークローソクであって、該突出した燃焼芯が、先端点火部とその下方に１００〜２５０メッシュの鉄粉を０．０２〜０．０８ｇ／１０ｍｍ保持させた鉄粉付着部と非鉄粉付着部で構成されたことを特徴とするスパークローソク。
【請求項２】
該燃焼芯の先端点火部のワックス被覆量が非鉄粉付着部のワックス被覆量に対して、５〜５０％である請求項１記載のスパークローソク。
【請求項３】
ローソク本体と該ローソク本体より４０〜７０ｍｍ突出した燃焼芯を有するキャンドルリレー用スパークローソクであって、ワックスが被覆された燃焼芯の先端点火部の下方に１００〜２５０メッシュの鉄粉を０．０２〜０．０８ｇ／１０ｍｍ保持させた鉄粉付着部と非鉄粉付着部を設けるとともに、該先端点火部のワックス被覆量が非鉄粉付着部のワックス被覆量に対して５〜５０％であることを特徴とするキャンドルリレー用スパークローソク。
【考案の詳細な説明】
【考案の詳細な説明】
【技術分野】
【０００１】本考案は、披露宴や各種パーティ等の演出に用いられるスパークローソクに関するものである。特に結婚式の披露宴での演出効果を盛り上げるため、新郎新婦からゲストへ、ゲストからゲストへと幸せの灯火を渡してゆくキャンドルリレー用のローソクに適したスパークローソクに関するものである。
【背景技術】
【０００２】結婚式の披露宴や各種パーティ等の演出にローソクは欠かせないものである。最近、より華やかな演出効果で宴を盛り上げるため、ローソクに花火を組み合わせたローソクが提案されている。例えばローソクの芯に硝化綿系接着剤で金属粉を付着させたり、ロウで金属粉を付着させ、ローソクを点火した際にスパークを散らして演出性を高めたローソク（特許文献１〜３）や、ローソク本体より上方に長く芯を突出させ、その芯の周囲に、芯とは別体のワックスと金属粉を混合した混合物を捲きつけた花火ローソク（特許文献４）、ローソク本体と、ローソク本体の点火側の端部に形成された花火と、花火の先端部に着火用ローソクを設けたローソク（特許文献５）、ローソク芯に練り状の火薬をつけて固着させ、ローソク本体には火薬を固着させていない花火ローソク（特許文献６）などが提案されている。
【先行技術文献】
【特許文献】
【０００３】
【特許文献１】実開昭６１−１４７２４５
【特許文献２】実開昭５１−１２４６９
【特許文献３】実開昭５３−１２８７７１
【特許文献４】特開平１０−１３０６８９
【特許文献５】特開平１１−３５９７１
【特許文献６】特開平１０−５５７０９
【考案の概要】
【考案が解決しようとする課題】
【０００４】しかしながら、ローソクの芯に硝化綿を接着剤として金属粉を付着させたローソク（特許文献１）や、ローソク芯に練り状の火薬をつけて固着させ、ローソク本体には火薬を固着させていない花火ローソク（特許文献６）は、点火した際に一気に燃え上がったりして、スパークを徐々に持続的に発生させることが難しかった。ロウで金属粉を付着させたローソク（特許文献２〜３）やローソクの芯の周囲にワックスと金属粉を混合した混合物を捲きつけた花火ローソク（特許文献４）、ローソク本体の点火側の端部に形成された花火と、花火の先端部に着火用ローソクを設けたローソク（特許文献５）は、芯に点火するまでに時間を要するばかりか、点火しづらいために芯を炙り続けることでスパークが一時的な発生となることがあった。
さらに、各引用文献の花火ローソクを、前のゲストが点火するローソクを傾けて、次のゲストが手のひらにのせたローソクに順番に点火するキャンドルリレー用のローソクとして使用する場合、スパークの火粉が手のひらに落ちて火傷を負ったり、次のゲストのローソクに点火するまでに時間を要して披露宴の雰囲気が損なわれる恐れがあった。
したがって、本発明の目的は、速やかに点火でき、しかも効果的なスパークを発しつつ、スパークの火粉による火傷を負うおそれのない安全性及び演出効果の優れたスパークローソクを提供することである。
【課題を解決するための手段】
【０００５】すなわち、本考案は、ローソク本体より突出した、ワックスが被覆された燃焼芯を有するスパークローソクであって、該突出した燃焼芯が先端点火部とその下方に１００〜２５０メッシュの鉄粉を０．０２〜０．０８ｇ／１０ｍｍ保持させた鉄粉付着部と非鉄粉付着部で構成されたことを特徴とするスパークローソクである。
また、本考案は、該燃焼芯の先端点火部のワックス被覆量が非鉄粉付着部のワックス被覆量に対して、５〜５０％である上記１記載のスパークローソクである。
更に、本考案は、ローソク本体と該ローソク本体より４０〜７０ｍｍ突出した燃焼芯を有するキャンドルリレー用スパークローソクであって、ワックスが被覆された燃焼芯の先端点火部の下方に１００〜２５０メッシュの鉄粉を０．０２〜０．０８ｇ／１０ｍｍ保持させた鉄粉付着部と非鉄粉付着部を設けるとともに、該先端点火部のワックス被覆量が非鉄粉付着部のワックス被覆量に対して５〜５０％であることを特徴とするキャンドルリレー用スパークローソクである。
【考案の効果】
【０００６】本考案のスパークローソクは、ワックスが被覆された燃焼芯の先端点火部の下方に特定の粒径の鉄粉を特定量保持させた鉄粉付着部と非鉄粉付着部を設けることで、ローソクの先端点火部に点火すると、しばらくはローソクに火が灯り、次に鉄粉付着部に点火して数十秒間華やかなスパークを発し、その後再びローソクに火が灯るので炎の演出効果が非常に高くなる。また、スパーク時に飛散して落下する火粉は手の平に落下するまでに冷却され火傷を負う恐れがない。さらに燃焼芯先端部に被覆されたワックスを特定量除去することにより、スムースに点火できる。特にキャンドルリレーでは、灯火を相手側のローソクの芯先端部に接触させるだけで速やかに点火できるため炎とスパークによる演出効果を高めることができる。
【図面の簡単な説明】
【０００７】
【図１】本考案のスパークローソクの断面図である。
【図２】従来のスパークローソクの断面図である。
【考案を実施するための最良の形態】
【実施例】
【０００８】図１は、本考案のスパークローソクの断面図であり、ガラス容器１に入れられたローソク本体２からワックスが被覆された燃焼芯３が突出している。該ローソク本体から突出した燃焼芯３の先端点火部６の下方に１００〜２５０メッシュの鉄粉を保持させた鉄粉付着部７と非鉄粉付着部８が設けられている。キャンドルリレー用のローソクでは、２つのローソクの燃焼芯の先端点火部を接触させて相手側のローソクに確実に灯火の受け渡しを行うためにローソク本体から突出する燃焼芯の長さは、通常４０〜７０ｍｍである。４０ｍｍ未満ではローソク本体を接触させて灯火を受け渡す際に、溶けたワックスが手のひら等に落下して火傷する恐れがある。７０ｍｍを超えるとローソク本体から突出する燃焼芯が折れ曲がって危険であるとともに、灯火の受け渡しが困難になる恐れがある。【０００９】燃焼芯の先端点火部６は、先端点火部に点火してローソクに火を灯し、次に鉄粉付着部７に点火し、その後数十秒間華やかなスパークによる炎の動的演出効果を際立たせるために、その点火時間は数〜数十秒間とすることが好ましい。そのために先端点火部の長さは少なくとも２〜３ｍｍ必要である。更に、先端点火部６は特開２００７−３２７０２１に開示されているように、点火時間を短縮するためにワックス被覆量を非鉄粉付着部８の燃焼芯のワックス被覆量に対して、５〜５０％とすることが好ましい。５％未満では下方の鉄粉付着部７に点火する前に炎が消える恐れがある。５０％を超えると先端部への点火時間が長くなり溶けたワックスによる火傷の危険がある。先端部への点火を促進するため先端点火部６をほぐすことが好ましい。【００１０】先端点火部６の下方に鉄粉付着部７と非鉄粉付着部８が設けられている。ワックスが被覆された燃焼芯３の鉄粉付着部７に保持させる鉄粉の粒径は、１００〜２５０メッシュである。１００メッシュより粒径が大きいとスパークの火粉が冷えきれずに手の平に落下して火傷を負う恐れがある。２５０メッシュより粒径が小さくなれば、視覚的に効果的なスパークとはならない。通常１５０〜２００メッシュの粒径の鉄粉が好ましく使用される。また、燃焼芯への鉄粉付着量は、０．０２〜０．０８ｇ／１０ｍｍである。０．０２ｇ／１０ｍｍ未満ではスパークによる視覚的効果が小さく演出効果が認められない。
一方０．０８ｇ／１０ｍｍを超えると燃焼不良の要因となる。通常付着量は０．０４〜０．０６ｇ／１０ｍｍが好ましい。鉄粉付着部７の長さはスパーク発生時間を考慮して決定すればよい。スパーク発生時間は演出効果の点で通常１０〜３０秒間が好ましい。
その場合鉄粉付着部７の長さは３〜２０ｍｍ程度である。【００１１】鉄粉を保持させる手法は、例えば、鉄粉を分散させた溶融ワックスに燃焼芯３を浸漬させても良いし、あらかじめ燃焼芯３に鉄粉を付着させた後に溶融ワックスに浸漬させることで鉄粉を脱落しないように固着させても良い。その際、鉄粉がワックスで固着させることで、燃焼芯３の先端点火部６に点火された炎は一気に燃え下ることなく、徐々にスパークを発しながら燃え下ることが可能となる。【００１２】次に、本考案のスパークローソクを実施例及び比較例にて説明する。
実施例１〜３
燃焼芯用の木綿糸を溶融ワックスに三回くぐらせてワックスが被覆された燃焼芯３を用意した。この燃焼芯３を１１０ｍｍの長さにカットし、次いでカットした燃焼芯３の一端をスチール製の丸座金９に固定し、他端から１０ｍｍ部分を１３０℃の溶融ワックスに浸漬し、直ちに浸漬した部分に均等に２００メッシュの鉄粉を０．０４ｇ付着させ、その後８０℃溶融ワックスに鉄粉付着部分７を浸漬してワックスを被覆定着させた。次いで先端部３ｍｍの被覆ワックスと付着鉄粉をスチール製のツメ具を用いて掻き取って先端点火部６を形成した。８は非鉄粉付着部分である。
上記座金で固定された燃焼芯３を、開口径４０ｍｍ、深さ７０ｍｍ、容量８０ｍＬのガラス容器１の底部中央にホットメルトで固着させ、次にガラス容器内にローソク本体２となる溶融ワックス５０ｇを流し入れた後、冷却して製作したスパークローソクを実施例１とした。
実施例１で使用した２００メッシュの鉄粉を１００メッシュの鉄粉に置き換えて同様に製作したスパークローソクを実施例２とした。２５０メッシュの鉄粉に置き換えて同様に製作したスパークローソクを実施例３とした。【００１３】比較例１〜３
実施例１で使用した２００メッシュの鉄粉を８０メッシュの鉄粉に置き換えて同様に製作したスパークローソクを比較例２とした。３００メッシュの鉄粉に置き換えて同様に製作したスパークローソクを比較例３とした。また、実施例１と同じ鉄粉付着部分を設けた燃焼芯であるが、先端部３ｍｍの被覆ワックスが除去されていない燃焼芯を使用したスパークローソクを比較例１とした。【００１４】上記各実施例及び比較例のスパークローソクの評価結果を表１に示す。
【表１】
0003168081.tif 000003
【００１５】実施例１は、燃焼芯先端の燃焼芯が露出しているため、点火がスムーズにでき、点火された火は、鉄粉保持部の鉄粉をはじき飛ばし、視覚的に効果的なスパークを１５〜２５秒間程度発し続けた。キャンドルリレーを想定した評価でも、点火がスムーズなため、スパークも効果的で、灯火の受け渡しも安全に行えた。実施例２は、点火がスムーズに行えたもののスパークがやや大きく視覚的アピール性がやや劣るものの、手のひらに落下した火粉でやけどを負うことはなかった。実施例３は、点火がスムーズに行えたもののスパークがやや小さく視覚的アピール性がやや劣るものの、効果的なスパークを発した。【００１６】比較例１は、燃焼芯の先端に点火する際、ワックスが被覆されているため、点火しづらく、炙り続けることで先端部から熱い鉄粉を含む溶融ワックスが垂れ落ちた。さらに、スパークがまばらでムラができアピール性も乏しかった。比較例２は、点火がスムーズに行えたもののスパークの火粉が大きく視覚的アピール性に欠け、また火粉が冷え切らずに手のひらに落下して火傷した。比較例３は、点火がスムーズに行えたものの、スパークが細か過ぎて視覚的なアピール性に乏しかった。
【産業上の利用可能性】
【００１７】本考案のスパークローソクは、ワックスが被覆された燃焼芯の先端点火部の下方に特定の粒径の鉄粉を保持させた鉄粉付着部と非鉄粉付着部を設けているため、ローソクの先端点火部に点火すると、しばらくはローソクに火が灯り（静）、次に鉄粉付着部に点火して数十秒間華やかなスパークを発し（動）、その後再びローソクに火が灯る（静）という灯火の演出効果が非常に高くなる。また、スパーク時に飛散して落下する火粉は手の平に落下するまでに冷却されるため火傷の恐れがない。さらに燃焼芯先端部に被覆されたワックスを特定量除去することにより、速やかに点火でき、特に新郎新婦からゲストへ、ゲストからゲストへと幸せの灯火を渡してゆく結婚式のキャンドルリレーでは、灯火をローソクの芯先端部に接触させるだけで速やかに点火できるため灯火とスパークによる演出効果が非常に高くなる。
【符号の説明】
【００１８】１  ガラス容器
２  ローソク本体
３  燃焼芯
６  先端点火部
７  鉄粉付着部
８  非鉄粉付着部
９  金属座金
【図１】
0003168081.tif 000004
【図２】
0003168081.tif 000005